(57)【要約】【課題】エレベーター装置が設置された建造物内において自動販売機を利用したい者の利便性の向上を図る。【解決手段】かご４に設置された自動販売機１２の利用のための呼び釦１４を乗場釦１０に配設する。また、自動販売機１２にかご扉を一定時間経過後に閉めるための利用解除釦１６を配設する。制御盤８は、呼び釦１４の押下に応じて押下された呼び釦１４の設置階までかご４を移動する。かご４を呼んだ利用者は、かご４の中の自動販売機１２を利用した後、利用解除釦１６を押下する。制御盤８は、利用解除釦１６の押下に応じて一定時間経過後にかご扉を閉める。【選択図】図１
2008308316.tif 000002
【特許請求の範囲】
【請求項１】
自動販売機が設置されたエレベーターかごを有することを特徴とする自動販売機付きエレベーター装置。
【請求項２】
自動販売機利用釦と、
自動販売機利用釦が押下されることによってかご扉の開閉制御を行う制御装置と、
を有することを特徴とする請求項１記載の自動販売機付きエレベーター装置。
【請求項３】
前記自動販売機利用釦は、エレベーター乗場にかご呼び釦として設けられ、
前記制御装置は、前記自動販売機利用釦が押下されたことによって、押下された自動販売機利用釦の設置階にかごを移動させると共に、通常のかご呼び釦押下時より長時間かご扉を開放した状態のままにすることを特徴とする請求項２記載の自動販売機付きエレベーター装置。
【請求項４】
前記自動販売機利用釦は、自動販売機に設けられ、
前記制御装置は、前記自動販売機利用釦が押下されたことによって、開放された状態のかご扉を一定時間経過後に閉動作させることを特徴とする請求項２記載の自動販売機付きエレベーター装置。
【発明の詳細な説明】
【技術分野】
【０００１】
本発明は、エレベーター装置、特にかごの装備に関する。
【背景技術】
【０００２】
企業により利用される高層ビルやホテル等の建造物の共用スペースには、一般に飲料やたばこ等の自動販売機が設置されており、建造物の利用客の便宜を図っている。
【発明の開示】
【発明が解決しようとする課題】
【０００３】
しかしながら、自動販売機が全ての階に設置されているとは限らないため、利用客は、自動販売機の設置階まで移動して利用しなければならない。このため、階の移動が面倒であり、また、自動販売機が利用できるまでに時間を要してしまう。
【０００４】
本発明は、エレベーター装置が設置された建造物内において自動販売機を利用したい者の利便性の向上を図ることを目的とする。
【課題を解決するための手段】
【０００５】
以上のような目的を達成するために、本発明に係る自動販売機付きエレベーター装置は、自動販売機が設置されたエレベーターかごを有するものである。
【０００６】
また、自動販売機利用釦と、自動販売機利用釦が押下されることによってかご扉の開閉制御を行う制御装置と、を有するものである。
【０００７】
また、前記自動販売機利用釦は、エレベーター乗場にかご呼び釦として設けられ、前記制御装置は、前記自動販売機利用釦が押下されたことによって、押下された自動販売機利用釦の設置階にかごを移動させると共に、通常のかご呼び釦押下時より長時間かご扉を開放した状態のままにするものである。
【０００８】
また、前記自動販売機利用釦は、自動販売機に設けられ、前記制御装置は、前記自動販売機利用釦が押下されたことによって、開放された状態のかご扉を一定時間経過後に閉動作させるものである。
【発明の効果】
【０００９】
本発明によれば、エレベーターのかごに自動販売機を設置するようにしたことにより、階を移動することなく自動販売機を利用させることができる。
【００１０】
また、自動販売機利用釦の押下に応じてかご扉の開放時間の調整を可能にしたので、自動販売機の利用者の便宜を図ることができる。
【発明を実施するための最良の形態】
【００１１】
以下、図面に基づいて、本発明の好適な実施の形態について説明する。
【００１２】
図１は、本発明に係る自動販売機付きエレベーター装置の一実施の形態が設置されたビル全体の概念図であり、図２は、図１に示した自動販売機付きエレベーター装置の概略構成図である。
【００１３】
図１には、建造物であるビル２と、エレベーター装置のかご４と、かご４の昇降路６と、昇降路６の上部に設置され、エレベーター装置の制御を行う制御盤８と、ビル２の各階のエレベーター乗場に設置され、利用者が自分のいる階にかご４を呼ぶための乗場釦１０とが示されている。そして、かご４の内部には、かご４の利用者が利用できるように自動販売機１２が設置される。
【００１４】
そして、本実施の形態においては、自動販売機１２を利用したい者が操作するための自動販売機利用釦として、呼び釦１４及び利用解除釦１６という２種類の釦が用意されている。呼び釦１４は、通常の呼び釦１８と共に乗場釦１０に配設される。利用解除釦１６は、自動販売機１２に配設される。なお、後述する各釦１４，１６の利用方法の説明で明らかになるが、呼び釦１４は、かご内設置の自動販売機１２を利用したい者が操作可能であれば、通常の呼び釦１４と同じ乗場釦１０に配設する必要はない。また、利用解除釦１６は、かご４の内部にいる者が操作可能であれば、必ずしも自動販売機１２に配設する必要はない。本実施の形態における制御盤８は、自動販売機利用釦が押下されることによってかご扉の開閉制御用の信号を受信し、これにより、かご扉の開閉制御を行う制御装置として設けられている。
【００１５】
以下、本実施の形態における動作について説明する。
【００１６】
まず、かご４に設置された自動販売機１２を利用したい者（以下、「利用者」）は、エレベーター乗場に設置された呼び釦１４を押下する。制御盤８は、呼び釦１４の押下により乗場釦１０から発せられた利用信号を受信すると、押下された呼び釦１４の設置階までかご４を移動させる。そして、制御盤８は、かご扉を開くことで、到着したかご４を利用可能にする。ここで、本実施の形態における制御盤８は、呼び釦１４が押下された場合、通常の呼び釦１８が押下された場合と比較して長時間かご扉を開放した状態のままにする。開放する時間としては、少なくとも利用者が自動販売機１２を利用できる時間長を設定する必要がある。
【００１７】
利用者が自動販売機１２を利用して所望の商品を購入すると、利用解除釦１６を押下する。制御盤８は、利用解除釦１６の押下により発せられた利用済み信号を受信すると、一定時間経過後にかご扉を閉動作させる。これにより、かご４は、通常の運行状態に戻る。
【００１８】
ここで、かご扉の閉動作が開始されるまでの一定時間というのは、利用者がかご４から確実に降りることのできる時間を設定する必要がある。例えば、４秒と設定されていれば、制御盤８は、利用解除釦１６の押下から４秒後にかご扉の閉動作を開始する。
【００１９】
以上説明したように、本実施の形態によれば、かご４に自動販売機１２を設置することによって自動販売機１２を移動可能に構成したので、利用者は自動販売機１２の設置階まで移動することなく、自動販売機１２を利用することができる。また、階の移動のためにエレベーター装置を利用する者が、移動中に飲料等を購入することも可能となるため、時間を節約することができる。なお、目的とする階に到着した時点で自動販売機１２の利用が終了しない場合には、かご４に既設の開延長釦の操作等によって、かご扉が閉じてしまうことを防ぐことは可能である。
【００２０】
なお、本実施の形態では、利用解除釦１６の押下、すなわち手動による操作指示があってはじめてかご扉を閉めるように制御するので、呼び釦１４が押下されたことによりかご扉を開放したままとする一定時間というのは、極めて長い時間を設定することができる。利用解除釦１６が設けられていない場合には、上記の通り、呼び釦１４が押下されたことに伴うかご扉の開放時間を適切な時間長に設定する必要があるが、利用終了前に一定時間が経過してしまうような場合には、かご４に既設の開延長釦の操作等によって、かご扉が閉じてしまうことを防ぐことは可能である。
【００２１】
また、自動販売機１２は、かご４に設置するようにしてもよいし、かご４と一体形成するようにしてもよい。
【００２２】
また、本実施の形態では、自動販売機１２をかご４に設置することを特徴としているが、例えば、かご４に設置した自動販売機１２の種類を乗場に表示するなどしたらより便宜である。また、ビル２にエレベーター装置が複数機設置されている場合には、かご４毎に異なる種類の自動販売機１２を載置するのが好適である。
【図面の簡単な説明】
【００２３】
【図１】本発明に係る自動販売機付きエレベーター装置の一実施の形態が設置されたビル全体の概念図である。
【図２】図１に示した自動販売機付きエレベーター装置の概略構成図である。
【符号の説明】
【００２４】
２  ビル、４  かご、６  昇降路、８  制御盤、１０  乗場釦、１２  自動販売機、１４，１８  呼び釦、１６  利用解除釦。
【図１】
2008308316.tif 000003
【図２】
2008308316.tif 000004